(57)【要約】【課題】  複数の互いに異なる選択信号に基づいて動作する画素回路において，走査線の両方向走査が可能な発光表示装置を提供する。【解決手段】  順方向信号ＣＴＵに応答して信号を出力し，逆方向信号ＣＴＤに応答して逆方向に信号を出力するシフトレジスタ２１０と：複数の走査線が各々形成される複数の画素回路１１０と：各走査線に第１選択信号及び第２選択信号を各々順次に伝達する選択信号印加部２４０と：を備え，信号印加部２４０は，第１制御信号に応答して，第１選択信号の直前の選択信号を，第１画素回路の第１走査線に印加し，第１選択信号の現在の選択信号を第１画素回路の第２走査線に印加し，第２制御信号に応答して，第２選択信号の直前の選択信号を，第２画素回路の第１走査線に印加し，第２選択信号の現在の選択信号を第２画素回路の第２走査線に印加する。【選択図】    図５
2005275396.tif 000002
【特許請求の範囲】
【請求項１】
発光表示装置において；
第１制御信号に応答して第１方向に順次に第１信号を出力し，第２制御信号に応答して第１方向と反対方向である第２方向に順次に第２信号を出力する両方向信号伝達シフトレジスタと，
第１走査線及び第２走査線を含む複数の走査線が各々形成される複数の画素回路と，
前記第１信号及び前記第２信号に各々対応する第３信号及び第４信号を受信して，前記複数の画素回路の各走査線に，第１選択信号及び第２選択信号を各々順次に伝達する信号印加部と，
を備え，
前記信号印加部は，前記第１制御信号に応答して，前記第１選択信号の直前の選択信号を，複数の前記画素回路のうちの第１画素回路の前記第１走査線に印加し，前記第１選択信号の現在の選択信号を前記第１画素回路の前記第２走査線に印加し，前記第２制御信号に応答して，前記第２選択信号の直前の選択信号を，複数の前記画素回路のうちの第２画素回路の前記第１走査線に印加し，前記第２選択信号の現在の選択信号を前記第２画素回路の前記第２走査線に印加することを特徴とする発光表示装置。
【請求項２】
前記第１選択信号の現在の選択信号は，前記第２画素回路の第１走査線に印加されることを特徴とする，請求項１に記載の発光表示装置。
【請求項３】
前記信号印加部は，
前記第１選択信号が入力される第１入力線と前記第１画素回路の第２走査線とを電気的に連結する第１スイッチと，
前記第１入力線と前記第２画素回路の第１走査線とを電気的に連結する第２スイッチと，
を有することを特徴とする，請求項１または２に記載の発光表示装置。
【請求項４】
前記第２選択信号の現在の選択信号は，前記第１画素回路の第１走査線に印加されることを特徴とする，請求項１〜３のいずれかに記載の発光表示装置。
【請求項５】
前記信号印加部は，
前記第２選択信号が入力される第２入力線と前記第２画素回路の第２走査線とを電気的に連結する第３スイッチと，
前記第２入力線と前記第１画素回路の第１走査線とを電気的に連結する第４スイッチと，
を有することを特徴とする，請求項１〜４に記載の発光表示装置。
【請求項６】
前記第１画素回路と第２画素回路とは，互いに隣接することを特徴とする，請求項１〜５に記載の発光表示装置。
【請求項７】
発光表示装置において；
第１制御信号に応答して第１方向に順次に第１の信号及び第２の信号を出力し，第２制御信号に応答して第１方向と反対方向である第２方向に順次に第３の信号及び第４の信号を出力する両方向信号伝達シフトレジスタと，
第１及び第２走査線を含む複数の画素回路と，
前記第１制御信号に応答して出力される前記第１の信号に対応する信号を第１走査線に印加して前記第２の信号に対応する信号を第２走査線に印加し，前記第２制御信号に応答して出力される前記第３の信号に対応する信号を第１走査線に印加して前記第４の信号に対応する信号を第２走査線に印加する信号印加部と，
を備えることを特徴とする発光表示装置。
【請求項８】
前記第１制御信号に基づいて前記第１方向のデータ信号を生成し，前記第２制御信号に基づいて前記第２方向のデータ信号を生成してデータ線に各々印加するデータ駆動部をさらに備えることを特徴とする，請求項７に記載の発光表示装置。
【請求項９】
第１画素回路に対して前記第１方向に隣接する第２画素回路をさらに備え，
前記第２の信号は，前記第２画素回路の第１走査線に印加されることを特徴とする，請求項７または８に記載の発光表示装置。
【請求項１０】
前記第１画素回路の第２方向に隣接する第３画素回路をさらに備え，
前記第４の信号は前記第３画素回路の第１走査線に印加されることを特徴とする，請求項７〜９のいずれかに記載の発光表示装置。
【請求項１１】
第１走査線，第２走査線及びデータ線に各々連結されて形成された第１画素回路及び第２画素回路を有する複数の画素回路と，前記第１走査線及び前記第２走査線に選択信号を印加する走査駆動部とを備える発光表示装置の駆動方法において；
第１方向に走査される場合，前記複数の画素回路のうちの前記第１画素回路の前記第１走査線に直前の選択信号を印加した後，前記第１画素回路の前記第２走査線及び前記第２画素回路の前記第１走査線に現在の選択信号を印加する工程と，
第２方向に走査される場合，前記第２画素回路の前記第１走査線に前記直前の選択信号を印加した後，前記第２画素回路の前記第２走査線及び前記第１画素回路の前記第１走査線に前記現在の選択信号を印加する工程と，
を含むことを特徴とする発光表示装置の駆動方法。
【発明の詳細な説明】
【技術分野】
【０００１】
本発明は，発光表示装置及びその駆動方法に関し，特に有機物質の電界発光（以下，有機ＥＬという）を利用した発光表示装置及びその駆動方法に関する。
【背景技術】
【０００２】
一般に，有機ＥＬ表示装置は，蛍光性有機化合物を電気的に励起させて発光させる表示装置であって，行列（マトリックス）形態に配列されたｎ×ｍ個の有機発光セルを電圧駆動あるいは電流駆動して映像が表示できるようになっている。
【０００３】
このような有機発光セルは，ダイオード特性を有するので有機発光ダイオード（ＯＬＥＤ）とも呼ばれ，図１に示したように，アノード（ＩＴＯ），有機薄膜，カソード電極層の構造を有している。
【０００４】
有機薄膜は，電子及び正孔の均衡を良くして発光効率を向上させるために，発光層（ＥＭＬ），電子輸送層（ＥＴＬ），及び正孔輸送層（ＨＴＬ）を含む多層構造からなり，また，別途に電子注入層（ＥＩＬ）及び正孔注入層（ＨＩＬ）を有する。このような複数の有機発光セルがｎ×ｍ個のマトリックス形態に配列されて，有機ＥＬ表示パネルを形成する。ここで，アノード電極及びカソード電極に全て透明電極を使用すれば，両面表示が可能である。
【０００５】
このような有機ＥＬ表示パネルを駆動する方式には，単純マトリックス（ｐａｓｓｉｖｅ  ｍａｔｒｉｘ）方式及び薄膜トランジスタ（ｔｈｉｎ  ｆｉｌｍ  ｔｒａｎｓｉｓｔｏｒ：ＴＦＴ）を利用した能動駆動（ａｃｔｉｖｅ  ｍａｔｒｉｘ）方式がある。
【０００６】
単純マトリックス方式は，正極及び負極を直交するように形成してラインを選択して駆動するのに対して，能動駆動方式は，薄膜トランジスタを各ＩＴＯ（Ｉｎｄｉｕｍ  Ｔｉｎ  Ｏｘｉｄｅ）画素電極に連結し，薄膜トランジスタのゲートに連結されたキャパシタ容量により維持された電圧によって駆動する。
【０００７】
図２は両面表示が可能な一般的な有機ＥＬ素子を概略的に示す説明図である。有機ＥＬ素子は，上部ガラス基板４０及び下部ガラス基板２２の間に，第１透明電極２４，正孔注入層２６，正孔運送層２８，有機発光層３０，電子運送層３２，電子注入層３４，及び第２透明電極３６を備える。
【０００８】
アノード電極である第１透明電極２４は，インジウム−シン−オキシド（Ｉｎｄｉｕｍ−Ｔｉｎ−Ｏｘｉｄｅ：ＩＴＯ），インジウム−ジンク−オキシド（Ｉｎｄｉｕｍ−Ｚｉｎｃ−Ｏｘｉｄｅ：ＩＺＯ），インジウム−シン−ジンク−オキシド（Ｉｎｄｉｕｍ−Ｔｉｎ−Ｚｉｎｃ−Ｏｘｉｄｅ：ＩＴＺＯ）などの物質のうちのいずれか１つの物質を真空蒸着やスパッタリング（Ｓｐｕｔｔｅｒｉｎｇ）することによって下部ガラス基板２２上に形成され，データ電極として利用される。
【０００９】
発光層３８は，第１透明電極２４上に，正孔注入層２６，正孔運送層２８，有機発光層３０，電子運送層３２，電子注入層３４が順次に積層される。カソード電極である第２透明電極３６は，インジウム−シン−オキシド（ＩＴＯ），インジウム−ジンク−オキシド（ＩＺＯ），インジウム−シン−ジンク−オキシド（ＩＴＺＯ）などの物質のうちのいずれか一つの物質を真空蒸着やスパッタリングすることによって発光層３８上に形成される。
【００１０】
ここで，第１透明電極２４及び第２透明電極３６は，オキシド（Ｏｘｉｄｅ）の組成比及びＯ２プラズマ処理によって，各々の仕事関数（Ｗｏｒｋ  Ｆｕｎｃｔｉｏｎ）を異なるように設定することができる。これにより，第１透明電極２４及び第２透明電極３６の仕事関数は，電子及び複数の正孔が移動できるように２つの電極２４，３６のうちのいずれか１つが低く設定される。これにより，有機発光層３０は，仕事関数差によって第１透明電極２４及び第２透明電極３６から供給される正孔及び電子を利用して発光する。
【００１１】
このように有機発光層３０で発生する可視光は，第１透明電極２４及び第２透明電極３６と，上部ガラス基板４０及び下部ガラス基板２２とを通じて両方向に放出される。これによって，有機ＥＬ素子を使用した両面表示機能を有するＥＬ素子は，前側及び後側で映像を表示する。
【００１２】
図３は図２の有機ＥＬ素子を有する有機ＥＬ表示装置を概略的に示す説明図である。図３に示されているように，有機ＥＬ表示装置は，有機ＥＬ表示パネル１０，走査駆動部１２，及びデータ駆動部１３を備える。
【００１３】
有機ＥＬ表示パネル１０は，列方向にのびている複数のデータ線（ＤＤ１−ＤＤｍ），行方向にのびている複数の走査線（ＳＳ１−ＳＳｎ），及び複数の画素回路１１を有する。データ線（ＤＤ１−ＤＤｍ）は画像を示すデータ信号を画素回路１１に伝達し，走査線（ＳＳ１−ＳＳｎ）は選択信号を画素回路１１に伝達する。画素回路１１は，隣接する２つのデータ線（ＤＤ１−ＤＤｍ）及び隣接する２つの走査線（ＳＳ１−ＳＳｎ）によって定義される画素領域に形成される。以下，走査線ＳＳ１に連結された画素をＰＰ１（図示せず），走査線ＳＳｎに連結された画素をＰＰｎ（図示せず）と称する。
【００１４】
走査駆動部１２は，走査線（ＳＳ１−ＳＳｎ）に各々選択信号を順次に印加する。データ駆動部１３は，データ線（ＤＤ１−ＤＤｍ）に画像信号に対応するデータ電圧を印加する。走査駆動部１２またはデータ駆動部１３の少なくともいずれかは，表示パネル１０に電気的に連結され，または，表示パネル１０に接着され，電気的に連結されるテープキャリアパッケージ（ｔａｐｅ  ｃａｒｒｉｅｒ  ｐａｃｋａｇｅ：ＴＣＰ）にチップなどの形態で装着される。
【００１５】
または，表示パネル１０に接着されて電気的に連結されているフレキシブル印刷回路（ｆｌｅｘｉｂｌｅ  ｐｒｉｎｔｅｄ  ｃｉｒｃｕｉｔ：ＦＰＣ）またはフィルム（ｆｉｌｍ）などにチップなどの形態で装着される。これとは異なって，走査駆動部１２またはデータ駆動部１３の少なくともいずれかは，表示パネル１０のガラス基板上に直接装着されてもよく，ガラス基板上に，走査線，データ線，及び薄膜トランジスタと複数の同一層に形成されている駆動回路に代替して直接装着することができる。
【００１６】
一方，両面表示が可能な有機ＥＬ表示装置は，前面画面及び後面画面の左右が反対になることになる。従って，表示装置の前面に表示される画面及び後面に表示される画面が同一になるためには，前面表示の場合にデータ線Ｄ１に印加される第１データ信号が後面表示の場合にはデータ線ＤＤｍに印加され，前面表示の場合にデータ線ＤＤｍに印加される第ｍデータ信号が後面表示の場合にはデータ線Ｄ１に印加されなければならない。このように両方向（ｂｉｄｉｒｅｃｔｉｏｎａｌ）にデータ信号を印加するようにする両方向シフトレジスタを含む両方向データ駆動部が，特許文献１に開示されている。
【００１７】
ところが，例えば，１８０゜回転する場合のように，表示パネルの画面が左右だけでなく上下にも変化する場合には，データ駆動部だけでなく，走査駆動部も，走査線に印加される選択信号を両方向に印加する両方向シフトレジスタを含まなければならない。つまり，表示画面が１８０゜回転する放出表示装置は，上から下の方向に順次に選択信号が印加される場合（以下，順方向走査と称する）には走査線ＳＳ１に印加される第１選択信号を，下から上の方向に順次に選択信号が印加される場合（以下，逆方向走査と称する）には順方向走査で走査線ＳＳｎに印加される第ｎ選択信号を，逆方向走査では走査線ＳＳ１に印加する両方向走査駆動部を利用して，回転前及び回転後の画面が同一に表示されるようにする。
【００１８】
また，特許文献２に開示された画素回路では，１つの画素回路ＰＰｎが２つ以上の互いに異なる選択信号，例えば現在の走査線ＳＳｎに印加される第ｎ選択信号及び直前の走査線ＳＳｎ−１に印加される第ｎ−１選択信号に基づいて動作する方法が記載されている。
【００１９】
【特許文献１】韓国公開特許第２００２−００９７４２０号明細書
【特許文献２】韓国公開特許第２００４−０００９２８５号明細書
【発明の開示】
【発明が解決しようとする課題】
【００２０】
しかし，上記のように，１つの画素回路ＰＰｎが２つ以上の互いに異なる選択信号に基づいて動作する場合は，順方向走査で走査線ＳＳｎ−１に第ｎ−１選択信号が印加された後に走査線ＳＳｎに第ｎ選択信号が印加されることによって正常に駆動されるようにする配置構造を有する。従って，逆方向走査では走査線の印加方向が逆転して，走査線ＳＳｎに第１選択信号が印加された後に走査線ＳＳｎ−１に第２選択信号が印加されるので，画素回路は正常に駆動されない問題点があった。
【００２１】
そこで，本発明は，このような問題に鑑みてなされたもので，その目的とするところは，複数の互いに異なる選択信号に基づいて動作する画素回路において，走査線の両方向走査が可能な発光表示装置を提供することにある。
【課題を解決するための手段】
【００２２】
上記課題を解決するために，本発明のある観点によれば，発光表示装置において；第１制御信号に応答して第１方向に順次に第１信号を出力し，第２制御信号に応答して第１方向と反対方向である第２方向に順次に第２信号を出力する両方向信号伝達シフトレジスタと：第１走査線及び第２走査線を含む複数の走査線が各々形成される複数の画素回路と：第１信号及び第２信号に各々対応する第３信号及び第４信号を受信して，複数の画素回路の各走査線に，第１選択信号及び第２選択信号を各々順次に伝達する信号印加部と：を備え，信号印加部は，第１制御信号に応答して，第１選択信号の直前の選択信号を，複数の画素回路のうちの第１画素回路の第１走査線に印加し，第１選択信号の現在の選択信号を第１画素回路の第２走査線に印加し，第２制御信号に応答して，第２選択信号の直前の選択信号を，複数の画素回路のうちの第２画素回路の第１走査線に印加し，第２選択信号の現在の選択信号を第２画素回路の第２走査線に印加することを特徴とする発光表示装置が提供される。
【００２３】
ここで，直前の選択信号とは，複数の走査線のある現在の走査線がＳｎで表されるとすると，現在の走査線の直前の走査線Ｓｎ−１に伝達される選択信号であり，現在の選択信号とは，現在の走査線がＳｎに伝達される選択信号のことである。発光表示装置を上記のように構成し，走査方向の異なる第１及び第２選択信号の２つの互いに異なる選択信号に基づいて，第１及び第２画素回路の各走査線に選択信号を印加することにより，複数の互いに異なる選択信号に基づいて動作する画素回路において，表示パネルが１８０゜回転する場合にも，走査線の両方向走査を可能とすることができる。
【００２４】
上記で走査線の両方向走査を可能とするために，第１選択信号の現在の選択信号は，第２画素回路の第１走査線に印加することができる。また，信号印加部は，第１選択信号が入力される第１入力線と第１画素回路の第２走査線とを電気的に連結する第１スイッチと，第１入力線と第２画素回路の第１走査線とを電気的に連結する第２スイッチと，を有して，第１選択信号の直前の選択信号を，複数の画素回路のうちの第１画素回路の第１走査線に印加し，第１選択信号の現在の選択信号を第１画素回路の第２走査線に印加することができる。
【００２５】
上記で，第２選択信号の現在の選択信号は，第１画素回路の第１走査線に印加することができる。また，信号印加部は，第２選択信号が入力される第２入力線と第２画素回路の第２走査線とを電気的に連結する第３スイッチと，第２入力線と第１画素回路の第１走査線とを電気的に連結する第４スイッチと，を有し，第１制御信号に応答して，，第２制御信号に応答して，第２選択信号の直前の選択信号を，複数の画素回路のうちの第２画素回路の第１走査線に印加し，第２選択信号の現在の選択信号を第２画素回路の第２走査線に印加することができる。
【００２６】
また，上記の第１画素回路と第２画素回路とは，互いに隣接した画素回路とすることができ，直前の選択信号及び現在の選択信号が順次印加される。
【００２７】
上記課題を解決するために，本発明の別の観点によれば，発光表示装置において；第１制御信号に応答して第１方向に順次に第１の信号及び第２の信号を出力し，第２制御信号に応答して第１方向と反対方向である第２方向に順次に第３の信号及び第４の信号を出力する両方向信号伝達シフトレジスタと：第１及び第２走査線を含む複数の画素回路と：第１制御信号に応答して出力される第１の信号に対応する信号を第１走査線に印加して第２の信号に対応する信号を第２走査線に印加し，第２制御信号に応答して出力される第３の信号に対応する信号を第１走査線に印加して第４の信号に対応する信号を第２走線に印加する信号印加部と，を備えることを特徴とする発光表示装置が提供される。
【００２８】
方向の異なる第１及び第２制御信号に基づいて，第１及び第２走査線を含む複数の画素回路の各走査線に信号を印加することにより，走査線の第１方向及び第２方向（順方向及び逆方向）の走査を可能とすることができる。
【００２９】
また，第１制御信号に基づいて第１方向のデータ信号を生成し，第２制御信号に基づいて第２方向のデータ信号を生成してデータ線に各々印加するデータ駆動部をさらに備えることができる。上記と同様に，第１画素回路に対して第１方向に隣接する第２画素回路をさらに備え，第２の信号は，第２画素回路の第１走査線に印加することができ，第１画素回路の第２方向に隣接する第３画素回路をさらに備え，第４の信号は第３画素回路の第１走査線に印加することができる。
【００３０】
さらに本発明の別の観点から上記発光表示装置により，第１走査線，第２走査線及びデータ線に各々連結されて形成された第１画素回路及び第２画素回路を有する複数の画素回路と，第１走査線及び第２走査線に選択信号を印加する走査駆動部とを備える発光表示装置の駆動方法において；第１方向に走査される場合，複数の画素回路のうちの第１画素回路の第１走査線に直前の選択信号を印加した後，第１画素回路の第２走査線及び第２画素回路の第１走査線に現在の選択信号を印加する工程と：第２方向に走査される場合，第２画素回路の第１走査線に直前の選択信号を印加した後，第２画素回路の第２走査線及び第１画素回路の第１走査線に現在の選択信号を印加する工程と：を含むことを特徴とする発光表示装置の駆動方法が提供される。
【００３１】
上記と同様に，直前の選択信号とは，複数の走査線のある現在の走査線がＳｎで表されるとすると，現在の走査線の直前の走査線Ｓｎ−１に伝達される選択信号であり，現在の選択信号とは，現在の走査線がＳｎに伝達される選択信号のことである。このように，複数の互いに異なる選択信号に基づいて動作する画素回路において，走査線の順逆両方向走査を可能とすることができる。
【発明の効果】
【００３２】
以上詳述したように本発明による発光表示装置は，各画素に印加されなければならない異なる複数の選択信号の数と同一な数だけの走査線を有し，第１方向に選択信号を順次に印加する第１方向の走査を制御する信号及び第２方向に選択信号を順次に印加する第２の方向走査を制御する信号に基づいて，各画素に互いに異なる選択信号が順次に印加されるようにすることによって，複数の互いに異なる選択信号に基づいて動作する画素回路を有する発光表示パネルを順方向及び逆方向の両方向に駆動することができる。
【発明を実施するための最良の形態】
【００３３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３４】
図４〜図８を参照して，本実施の形態による発光表示装置を説明する。図４は本実施の形態の発光表示装置の画素回路の等価回路図である。図４では，説明の便宜上，ｍ番目のデータ線Ｄｍ及びｎ番目の走査線Ｓｎに連結された画素回路だけを示した。一方，走査線に関する用語を定義すれば，現在の選択信号を伝達しようとする走査線を「現在の走査線」といい，現在の選択信号が伝達される前に選択信号を伝達した走査線を「直前の走査線」ということとする。
【００３５】
図４に示されているように，本実施の形態による画素回路１１０は，トランジスタＭ１〜Ｍ５，キャパシタＣｓｔ，Ｃｖｔｈ，及び有機ＥＬ素子ＯＬＥＤを有する。トランジスタＭ１は，有機ＥＬ素子ＯＬＥＤを駆動するための駆動トランジスタであって，電圧ＶＤＤを供給するための電源及び有機ＥＬ素子ＯＬＥＤの間に接続され，ゲートに印加される電圧によってトランジスタＭ５を通じて有機ＥＬ素子ＯＬＥＤに流れる電流を制御する。
【００３６】
トランジスタＭ２は，直前の走査線Ｓｎ−１からの選択信号に応答してトランジスタＭ１をダイオード連結させる。トランジスタＭ１のゲートにはキャパシタＣｖｔｈの一電極Ａが接続され，キャパシタＣｖｔｈの他電極Ｂ及び電圧ＶＤＤを供給する電源の間にキャパシタＣｓｔ及びトランジスタＭ４が並列に接続される。トランジスタＭ４は，直前の走査線Ｓｎ−１からの選択信号に応答してキャパシタＣｖｔｈの他電極Ｂに電源ＶＤＤを供給する。
【００３７】
トランジスタＭ３は，現在の走査線Ｓｎからの選択信号に応答してデータ線ＤｍからのデータをキャパシタＣｖｔｈの他電極Ｂに伝達する。トランジスタＭ５は，トランジスタＭ１のドレイン及び有機ＥＬ素子ＯＬＥＤのアノードの間に接続され，直前の走査線Ｓｎ−１からの選択信号に応答してトランジスタＭ１のドレイン及び有機ＥＬ素子ＯＬＥＤ間を遮断する。
【００３８】
有機ＥＬ素子（ＯＬＥＤ）は，入力される電流に対応して光を放出する。本実施の形態によると，有機ＥＬ素子ＯＬＥＤのカソードに連結される電圧ＶＳＳは電圧ＶＤＤより低いレベルの電圧であって，グラウンド電圧などを使用することができる。
【００３９】
次に，このような画素回路の動作について説明する。まず，現在の走査線Ｓｎ−１にローレベルの走査電圧が印加されると，トランジスタＭ２がターンオンしてトランジスタＭ１はダイオード連結状態となる。従って，トランジスタＭ１のゲート及びソース間の電圧がトランジスタＭ１のしきい電圧Ｖｔｈになるまで変化する。この時，トランジスタＭ１のソースが電源ＶＤＤに連結されているので，トランジスタＭ１のゲート，つまりキャパシタＣｖｔｈのノードＡに印加される電圧は電源電圧ＶＤＤ及びしきい電圧Ｖｔｈの合計となる。また，トランジスタＭ４がターンオンしてキャパシタＣｖｔｈのノードＢには電源ＶＤＤが印加され，キャパシタＣｖｔｈに充電される電圧ＶＣｖｔｈは，数式１の通りである。
【００４０】
【数１】
2005275396.tif 000003
【００４１】
ここで，ＶＣｖｔｈはキャパシタＣｖｔｈに充電される電圧を意味し，ＶＣｖｔｈＡはキャパシタＣｖｔｈのノードＡに印加される電圧，ＶＣｖｔｈＢはキャパシタＣｖｔｈのノードＢに印加される電圧を意味する。
【００４２】
また，Ｎタイプのチャンネルを有するトランジスタＭ５は，直前の走査線Ｓｎ−１のローレベルの信号に応答して遮断され，トランジスタＭ１に流れる電流が有機ＥＬ素子ＯＬＥＤに流れるのを防止する。次に，現在の走査線Ｓｎにローレベルの走査電圧が印加されると，トランジスタＭ３がターンオンしてデータ線Ｄｍからのデータ電圧ＶｄａｔａがノードＢに印加される。
【００４３】
また，キャパシタＣｖｔｈにはトランジスタＭ１のしきい電圧Ｖｔｈに該当する電圧が充電されているので，トランジスタＭ１のゲートにはデータ電圧Ｖｄａｔａ及びトランジスタＭ１のしきい電圧Ｖｔｈの合計に対応する電圧が印加される。つまり，トランジスタＭ１のゲート及びソース間の電圧Ｖｇｓは次の数式２の通りである。
【００４４】
【数２】
2005275396.tif 000004
【００４５】
また，直前の走査線Ｓｎ−１のハイレベルの信号に応答してトランジスタＭ５がターンオンしてトランジスタＭ１のゲート／ソース電圧ＶＧＳに対応する電流ＩＯＬＥＤが有機ＥＬ素子ＯＬＥＤに供給され，有機ＥＬ素子ＯＬＥＤは発光する。電流ＩＯＬＥＤは数式３の通りである。
【００４６】
【数３】
2005275396.tif 000005
【００４７】
ここで，ＩＯＬＥＤは有機ＥＬ素子ＯＬＥＤに流れる電流，ＶＧＳはトランジスタＭ１のソース及びゲートの間の電圧，ＶｔｈはトランジスタＭ１のしきい電圧，Ｖｄａｔａはデータ電圧，βは定数値を示す。このように，直前の走査線Ｓｎ−１に走査信号が印加される間にトランジスタＭ２がターンオフされて漏れ電流が流れるのを遮断して，ブラック階調を正確に表現することができる。
【００４８】
ここまで，本実施の形態による画素回路には，５つのトランジスタ及び２つのキャパシタが含まれることを例に挙げて説明したが，本発明はこれに限定されず，２つ以上の選択信号によって動作する全ての画素回路に適用される。
【００４９】
図５は図４の画素回路を有する発光表示装置の構成を概略的に示す説明図である。図５のように，発光表示装置は，表示パネル１００，走査駆動部２００，及びデータ駆動部３００を備える。
【００５０】
表示パネル１００は，正常画面及び１８０゜回転した画面を全て表示することができる表示パネルである。また，ｎ×ｍ個の画素がマトリックス形態に配列されている（以下，不特定画素は画素Ｐｋと称する。ここで，ｋは１とｎの間の自然数である）。
【００５１】
一対の走査線Ｓｋａ，Ｓｋｂ（第１走査線，第２走査線）及びデータ線Ｄｍが交差する部分に図４の画素回路が備えられ，１つの画素Ｐｋは互いに異なる選択信号を印加する２つの走査線Ｓｋａ，Ｓｋｂに電気的に連結される。この場合，１つの画素Ｐｋで同一な選択信号で動作する能動素子は，同一な走査線に連結される。
【００５２】
例えば，図４の画素回路で，走査線Ｓｋａは，トランジスタＭ２，トランジスタＭ４，及びトランジスタＭ５と電気的に連結されて直前の走査線に対応し，走査線Ｓｋｂは，トランジスタＭ３と電気的に連結されて現在の走査線となる。このようにすることによって，表示パネル１００に存在する走査線（Ｓ１ａ，Ｓ１ｂ，Ｓ２ａ，Ｓ２ｂ…Ｓｎａ，Ｓｎｂ）の数は総画素数ｎの２倍，２ｎとなる。
【００５３】
データ駆動部３００は，前記で説明したように，両方向シフトレジスタを含み，順方向及び逆方向（第１方向及び第２方向）の両方向にデータ信号を印加することができる両方向データ駆動部である。走査駆動部２００は，シフトレジスタ２１０（両方向伝達シフトレジスタ），レベルシフタ２２０，バッファ２３０，及び選択信号印加部２４０（信号印加部）を含む。
【００５４】
シフトレジスタ２１０は，両方向走査が可能な両方向シフトレジスタであって，開始信号ＳＴＶ，クロック信号ＣＬＫ，順方向信号ＣＴＵ，逆方向信号ＣＴＤを制御部（未図示）から受信して，各走査線（Ｓ１ａ，Ｓ１ｂ，Ｓ２ａ，Ｓ２ｂ…Ｓｎａ，Ｓｎｂ）に印加される信号，詳細には順方向にはＳｋａ，Ｓｋｂに各々対応する第１の信号，第２の信号（または単に第１信号），逆方向にはＳｋａ，Ｓｋｂに各々対応する第３の信号，第４の信号（または単に第２信号），つまり選択信号ＳＲ１〜ＳＲｎ＋１を生成して，レベルシフタ２２０に出力する。
【００５５】
具体的に，シフトレジスタ２１０は，順方向信号ＣＴＵ（第１制御信号）がイネーブルレベルになった場合に入力されるクロック信号ＣＬＫによって開始信号ＳＴＶを順次にシフトさせてｎ＋１個の信号を選択信号ＳＲ１〜ＳＲｎ＋１（第１選択信号）として順次に出力する。一方，シフトレジスタ２１０は，逆方向信号ＣＴＤ（第２制御信号）がイネーブルレベルになった場合に入力されるクロック信号ＣＬＫによって開始信号ＳＴＶを順次にシフトさせてｎ＋１個の信号を選択信号ＳＲｎ＋１〜ＳＲ１（第２選択信号）として順次に出力する。
【００５６】
レベルシフタ２２０は，電源供給部（未図示）から電源（ＶＤＤ，ＶＳＳ）の供給を受けてシフトレジスタ２１０から受信した１番目〜ｎ＋１番目の選択信号ＳＲ１〜ＳＲｎ＋１を所定の電圧レベルにシフトする。
【００５７】
バッファ２３０は，所定の電圧レベルにシフトされた１番目〜ｎ＋１番目の選択信号ＳＲ１〜ＳＲｎ＋１をバッファリングして，第１及び第２信号に対応する第３及び第４信号を信号選択信号印加部２４０に印加する。選択信号印加部２４０は，順方向信号ＣＴＵ及び逆方向信号ＣＴＤに応答して各選択信号ＳＲ１〜ＳＲｎ＋１が該当する複数の走査線（Ｓ１ａ，Ｓ１ｂ，Ｓ２ａ，Ｓ２ｂ…Ｓｎａ，Ｓｎｂ）に印加されるように動作する。（第１の信号に対応する信号をＳｋａに，第２の信号に対応する信号をＳｋｂに印加する。）
【００５８】
順方向信号（ＣＴＵ）がオン信号である場合には，選択信号ＳＲ１〜ＳＲｎは各々ａ走査線（Ｓ１ａ，Ｓ２ａ，Ｓ３ａ，Ｓ４ａ…Ｓｎａ）に印加され，選択信号（ＳＲ２〜ＳＲｎ＋１）は各々ｂ走査線（Ｓ１ｂ，Ｓ２ｂ，Ｓ３ｂ，Ｓ４ｂ…Ｓｎｂ）に印加される。（第３の信号に対応する信号Ｓｋａに，第４の信号に対応する信号をＳｋｂに印加する。）従って，選択信号印加部２４０によって，選択信号ＳＲ１は走査線Ｓ１ａに印加され，選択信号ＳＲ２は走査線Ｓ１ｂ及び走査線Ｓ２ａに印加される。同様に，選択信号ＳＲｎは走査線Ｓｎ−１ｂ及び走査線Ｓｎａに印加され，選択信号ＳＲｎ＋１は走査線Ｓｎｂに印加される。
【００５９】
一方，逆方向信号ＣＵＤがオン信号である場合には，選択信号（ＳＲｎ＋１〜ＳＲ２）は各々ａ走査線（Ｓｎａ，Ｓｎ−１ａ，Ｓｎ−２ａ，…Ｓ２ａ，Ｓ１ａ）に印加され，選択信号（ＳＲｎ〜ＳＲ１）は各々ｂ走査線（Ｓｎｂ，Ｓｎ−１ｂ，Ｓｎ−２ｂ，…Ｓ２ｂ，Ｓ１ｂ）に印加される。従って，選択信号ＳＲｎ＋１は走査線Ｓｎａに印加され，選択信号ＳＲｎは走査線Ｓｎｂ及び走査線Ｓｎ−１ａに印加される。同様に，選択信号ＳＲ２は走査線Ｓ２ｂ及び走査線Ｓ１ａに印加され，選択信号ＳＲ１は走査線Ｓ１ｂに印加される。
【００６０】
従って，１つの画素で直前の選択信号によって動作する複数の能動素子であるトランジスタＭ２，Ｍ４，Ｍ５がａ走査線に連結され，現在の選択信号によって動作するトランジスタＭ３がｂ走査線に連結されたパネルは，順方向でも逆方向でも直前の選択信号はａ走査線に印加され，現在の選択信号はｂ走査線に印加されて，正常に映像を表示することができる。
【００６１】
図６は図５の選択信号印加部２４０の構成を具体的に示す説明図である。図６では，説明の簡略化のために，画素の数ｎは４であり，選択信号（ＳＲ１〜ＳＲ５）の数は５，走査線（Ｓ１ａ，Ｓ１ｂ，Ｓ２ａ，Ｓ２ｂ，Ｓ３ａ，Ｓ３ｂ，Ｓ４ａ，Ｓ４ｂ）の数は８であることを例に挙げて説明する。
【００６２】
選択信号印加部２４０は，順方向信号ＣＴＵ及び逆方向信号ＣＴＤに応答してバッファ２３０に出力される選択信号（ＳＲ１〜ＳＲ５）を各画素に連結される複数の走査線（Ｓ１ａ，Ｓ１ｂ，Ｓ２ａ，Ｓ２ｂ…Ｓ４ａ，Ｓ４ｂ）に接続及び遮断するのを制御する複数のスイッチ（ＳＵ１〜ＳＵ９）及び複数のスイッチ（ＳＤ１〜ＳＤ９）を含む。
【００６３】
選択信号ＳＲ１は，スイッチＳＵ１及びスイッチＳＤ９を通じて走査線Ｓ１ａ及び走査線Ｓ１ｂに各々印加される。選択信号ＳＲ２は，スイッチＳＵ３及びスイッチＳＵ２を通じて走査線Ｓ２ａ及び走査線Ｓ１ｂに，スイッチＳＤ７及びスイッチＳＤ８を通じて走査線Ｓ２ｂ及び走査線Ｓ１ａに各々印加される。選択信号ＳＲ３は，スイッチＳＵ５及びスイッチＳＵ４通じて走査線Ｓ３ａ及び走査線Ｓ２ａに，スイッチＳＤ５及びスイッチＳＤ６を通じて走査線Ｓ３ｂ及び走査線Ｓ２ａに印加される。
【００６４】
選択信号ＳＲ４は，スイッチＳＵ７及びスイッチＳＵ６を通して走査線Ｓ４ａ及び走査線Ｓ３ｂに，スイッチＳＤ３及びスイッチＳＤ４を通じて走査線Ｓ４ｂ及び走査線Ｓ３ａに各々印加される。選択信号ＳＲ５は，スイッチＳＵ９及びスイッチＳＵ８を通じて走査線Ｓ４ｂに，スイッチＳＤ１及びスイッチＳＤ２を通じて走査線Ｓ４ａに印加される。
【００６５】
ここで，複数のスイッチ（ＳＵ１〜ＳＵ９）は順方向信号ＣＴＵに応答してターンオンし，複数のスイッチ（ＳＤ１〜ＳＤ８）は逆方向信号ＣＴＤに応答してターンオンする。
【００６６】
順方向信号ＣＴＵによって複数のスイッチ（ＳＵ１〜ＳＵ９）が全てターンオンすれば，選択信号（ＳＲ１〜ＳＲ４）は各々ａ走査線（Ｓ１ａ，Ｓ２ａ，Ｓ３ａ，Ｓ４ａ）に印加され，選択信号（ＳＲ２〜ＳＲ５）は各々ｂ走査線（Ｓ１ｂ，Ｓ２ｂ，Ｓ３ｂ，Ｓ４ｂ）に印加される。
【００６７】
従って，画素Ｐ１は，走査線Ｓ１ａ及び走査線Ｓ１ｂに順次に印加される選択信号ＳＲ１，ＳＲ２によって駆動され，画素Ｐ２は，走査線Ｓ２ａ及び走査線Ｓ２ｂに順次に印加される選択信号ＳＲ２，ＳＲ３によって駆動される。同様に，画素Ｐ３は，走査線Ｓ３ａ及び走査線Ｓ３ｂに順次に印加される選択信号ＳＲ３，ＳＲ４によって駆動され，画素Ｐ４は，走査線Ｓ４ａ及び走査線Ｓ４ｂに順次に印加される選択信号ＳＲ４，ＳＲ５によって駆動される。
【００６８】
一方，逆方向信号（ＣＵＤ）によって複数のスイッチ（ＳＤ１〜ＳＤ９）が全てターンオンすれば，選択信号（ＳＲ５〜ＳＲ２）は各々ａ走査線（Ｓ４ａ，Ｓ３ａ，Ｓ２ａ，Ｓ１ａ）に印加され，選択信号（ＳＲ４〜ＳＲ１）は各々ｂ走査線（Ｓ４ｂ，Ｓ３ｂ，Ｓ２ｂ，Ｓ１ｂ）に印加される。
【００６９】
従って，画素Ｐ４は，走査線Ｓ４ａ及び走査線Ｓ４ｂに順次に印加される選択信号ＳＲ５，ＳＲ４によって駆動され，画素Ｐ３は，走査線Ｓ３ａ及び走査線Ｓ３ｂに順次に印加される選択信号ＳＲ４，ＳＲ３によって駆動される。画素Ｐ２は，走査線Ｓ２ａ及び走査線Ｓ２ｂに順次に印加される選択信号ＳＲ３，ＳＲ２によって駆動され，画素Ｐ１は，走査線Ｓ１ａ及び走査線Ｓ１ｂに順次に印加される選択信号ＳＲ２，ＳＲ１によって駆動される。
【００７０】
図７は順方向走査である場合の走査線変更状態を示す説明図であり，図８は逆方向走査である場合の走査線変更状態を示す説明図である。図７のように，順方向走査である場合，順方向信号（ＣＴＵ）としてオン信号を印加すれば，複数のスイッチ（ＳＵ１〜ＳＵ９）が全てオンになる。
【００７１】
具体的に，選択信号ＳＲ１は，スイッチＳＵ１がオンされて走査線Ｓ１ａに印加されて，画素Ｐ１（第１画素回路）の直前の選択信号となる。選択信号ＳＲ２は，スイッチＳＵ３（第２スイッチ）がオンされて走査線Ｓ２ａに印加され，スイッチＳＵ２（第１スイッチ）がオンされて走査線Ｓ１ｂに印加される。従って，選択信号ＳＲ２（本実施形態の場合，第１入力線及び第２入力線，両方に相当）は走査線Ｓ１ｂを通じて画素Ｐ１の現在の選択信号となり，走査線Ｓ２ａを通じて画素Ｐ２（第２画素回路）の直前の選択信号となる。
【００７２】
選択信号ＳＲ３は，スイッチＳＵ５がオンされて走査線Ｓ３ａに印加され，スイッチＳＵ４がオンされて走査線Ｓ２ｂに印加される。従って，選択信号ＳＲ３は走査線Ｓ２ｂを通じて画素Ｐ２の現在の選択信号となり，走査線Ｓ３ａを通じて画素Ｐ３の直前の選択信号となる。
【００７３】
選択信号ＳＲ４は，スイッチＳＵ７がオンされて走査線Ｓ４ａに印加され，スイッチＳＵ６がオンされて走査線Ｓ３ｂに印加される。従って，選択信号ＳＲ４は走査線Ｓ３ｂを通じて画素Ｐ３の現在の選択信号となり，走査線Ｓ４ａを通じて画素Ｐ４の直前の選択信号となる。
【００７４】
最後に，選択信号ＳＲ５は，スイッチＳＵ９及びスイッチＳＵ８がオンされて走査線Ｓ４ｂに印加されて，画素Ｐ４の現在の選択信号となる。このように，順方向信号（ＣＴＵ）としてオン信号によって複数のスイッチ（ＳＵ１〜ＳＵ９）が全てオンされることによって，全ての画素は順次に印加される直前の選択信号及び現在の選択信号に基づいて正常に動作する。
【００７５】
次に，図８を参照して，逆方向走査である場合の走査線変更状態を説明する。図８のように，逆方向走査である場合，逆方向信号（ＣＴＤ）としてオン信号を印加すれば，複数のスイッチ（ＳＤ１〜ＳＤ９）が全てオンになる。
【００７６】
具体的に，選択信号ＳＲ５は，スイッチＳＤ１及びスイッチＳＤ２がオンされて走査線Ｓ４ａに印加されて，画素Ｐ４の直前の選択信号となる。選択信号ＳＲ４は，スイッチＳＤ３がオンされて走査線Ｓ４ｂに印加され，スイッチＳＤ４がオンされて走査線Ｓ３ａに印加される。従って，選択信号ＳＲ４は走査線Ｓ４ｂを通じて画素Ｐ４の現在の選択信号となり，走査線Ｓ３ａを通じて画素Ｐ３の直前の選択信号となる。
【００７７】
選択信号ＳＲ３は，スイッチＳＤ５がオンされて走査線Ｓ３ｂに印加され，スイッチＳＤ６がオンされて走査線Ｓ２ａに印加される。従って，選択信号ＳＲ３は走査線Ｓ３ｂを通じて画素Ｐ３の現在の選択信号となり，走査線Ｓ２ａを通じて画素Ｐ２の直前の選択信号となる。
【００７８】
選択信号ＳＲ２は，スイッチＳＤ７（第３スイッチ）がオンされて走査線Ｓ２ｂに印加され，スイッチＳＤ８（第４スイッチ）がオンされて走査線Ｓ１ａに印加される。従って，選択信号ＳＲ２は走査線Ｓ２ｂを通じて画素Ｐ２の現在の選択信号となり，走査線Ｓ１ａを通じて画素Ｐ１の直前の選択信号となる。最後に，選択信号ＳＲ１は，スイッチＳＤ９がオンされて走査線Ｓ１ｂに印加されて，画素Ｐ１の現在の選択信号となる。
【００７９】
このように，逆方向信号（ＣＴＤ）としてオン信号によって複数のスイッチ（ＳＵ１〜ＳＵ９）が全てオンされることによって，全ての画素は順次に印加される直前の選択信号及び現在の選択信号に基づいて正常に動作する。
【００８０】
また，図７及び図８から分かるように，順方向走査であるか逆方向走査であるかに関係なく，各画素回路に印加される直前の選択信号は走査線（Ｓ１ａ，Ｓ２ａ，Ｓ３ａ，Ｓ４ａ）を通じて印加され，各画素回路に印加される現在の選択信号は走査線（Ｓ１ｂ，Ｓ２ｂ，Ｓ３ｂ，Ｓ４ｂ）を通じて印加される。
【００８１】
上記のようにすることで，２つの互いに異なる選択信号に基づいて動作する画素回路を有する表示パネルが１８０゜回転した場合にも，逆方向走査を行って，同一な映像を表示することができる。
【００８２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８３】
例えば，本実施の形態では，２つの互いに異なる選択信号に基づいて動作する場合について説明したが，本発明は２つ以上の互いに異なる選択信号に基づいて動作する場合にも適用することができる。ただし，この場合には，走査線の数は画素数の３倍となるべきである。また，本実施の形態では，選択信号印加部が走査駆動部のバッファに連結される場合について説明したが，選択信号印加部は走査駆動部と別途に備えられることもでき，１つのチップに形成されて表示パネルの有機基板上に実装されることもできる。
【産業上の利用可能性】
【００８４】
本発明は，発光表示装置及びその駆動方法に適用可能であり，特に有機物質の電界発光を利用した有機ＥＬ表示装置及びその駆動方法に適用可能である。
【図面の簡単な説明】
【００８５】
【図１】一般的な有機ＥＬ素子の有機発光セルの構成を示す説明図である。
【図２】一般的な有機ＥＬ素子を概略的に示す説明図である。
【図３】図２の有機ＥＬ素子を備える一般的な有機ＥＬ表示装置の概略を示す説明図である。
【図４】実施の形態による有機ＥＬ表示装置の画素回路の等価回路図である。
【図５】実施の形態による有機ＥＬ表示装置の概略構成を示す説明図である。
【図６】図５の選択信号印加部の構成を示す説明図である。
【図７】図６の選択信号印加部において，順方向走査である場合の走査線変更状態を示す説明図である。
【図８】図６の選択信号印加部において，逆方向走査である場合の走査線変更状態を示す説明図である。
【符号の説明】
【００８６】
１００      表示パネル
１１０      画素回路
２００      走査駆動部
２１０      シフトレジスタ
２２０      レベルシフタ
２３０      バッファ
２４０      選択信号印加部
３００      データ駆動部
Ｍ１      トランジスタ
Ｍ２      トランジスタ
Ｍ３      トランジスタ
Ｍ４      トランジスタ
Ｍ５      トランジスタ
ＯＬＥＤ    有機ＥＬ素子
Ｃｖｔｈ    キャパシタ
Ｃｓｔ      キャパシタ
ＶＤＤ      電源
ＶＳＳ      電圧
Ｓｎ      走査線
Ｄｍ      データ線
【図１】
2005275396.tif 000006
【図２】
2005275396.tif 000007
【図３】
2005275396.tif 000008
【図４】
2005275396.tif 000009
【図５】
2005275396.tif 000010
【図６】
2005275396.tif 000011
【図７】
2005275396.tif 000012
【図８】
2005275396.tif 000013